(57)【要約】【課題】照明手段とシャワー配管を同一スペースに設置することにより、余分なスぺースや部材を使用することなく、快適で使い勝手の良い浴室空間を提供することを目的とする。【解決手段】洗い場水栓１２の近傍の壁面１３に照明手段１４を設置し、照明手段１４の少なくとも前面の一部を遮蔽する遮蔽板１５を設け、遮蔽板１５の裏面と壁面１３との間にシャワー配管２０を設置し、遮蔽板１５にシャワー接続部１７を設けることにより、洗い場水栓１２からシャワー接続部１７に連通するシャワー配管２０は遮蔽板１５に隠蔽された状態で浴室内に設置できるため、専用のスペースや部材を使用する必要がなく、見映えが良く、しかもメンテナンスも容易に行うことができる。【選択図】図１
2005287995.tif 000002
【特許請求の範囲】
【請求項１】
洗い場水栓の近傍の壁面に照明手段を設置し、照明手段の少なくとも前面の一部を遮蔽する遮蔽板を設け、遮蔽板の裏面と壁面との間にシャワー配管を設置し、遮蔽板にシャワー接続部を設けた浴室装置。
【請求項２】
遮蔽板の表面にシャワーホルダーを設置した請求項１に記載の浴室装置。
【請求項３】
照明手段の前面および両側面の少なくとも遮蔽板で覆われていない箇所に半透明のセードを設置した請求項１または２に記載の浴室装置。
【発明の詳細な説明】
【技術分野】
【０００１】
本発明はシャワー配管を浴室内に余分なスペースを使わずに設置する方法に関するものである。
【背景技術】
【０００２】
従来、この種の浴室装置は、設置やメンテナンスを容易にし、また凍結の防止を目的としてシャワー配管を浴室内に設置する場合は、設置するための専用の配管スペースを設け、その中にシャワー配管を設置している（例えば、特許文献１参照）。
【０００３】
図３は、特許文献１に記載された従来の浴室装置を示す斜視図であり、図４は浴室装置の要部の断面図を示すものである。
【０００４】
図に示すように、浴室の壁面１に設置したシャワー取付け基台２の表面にシャワー３を取り付け、シャワー取付け基台２の背方を配管スペース４とし、配管スペース４の中にシャワー配管５を設置し、別の壁面６と天井７に照明器具８、９を設置する構成である。
【特許文献１】実開平３−４５７８６号公報
【発明の開示】
【発明が解決しようとする課題】
【０００５】
しかしながら、前記従来の構成では、シャワー配管を設置するために専用のスペースを必要とするために、照明器具や収納機能等の設置場所が制約を受るため使い勝手の良い浴室空間の実現が難しく、また施工の手間や部材が多くかかるという課題を有していた。
【０００６】
本発明は、前記従来の課題を解決するもので、照明手段とシャワー配管を同一スペースに設置することにより、余分なスぺースや部材を使用することなく、快適で使い勝手の良い浴室空間を提供することを目的とする。
【課題を解決するための手段】
【０００７】
前記従来の課題を解決するために、本発明の浴室の浴室装置は、洗い場水栓の近傍の壁面に照明手段を設置し、照明手段の少なくとも前面の一部を遮蔽する遮蔽板を設け、遮蔽板の裏面と壁面との間にシャワー配管を設置し、遮蔽板にシャワー接続部を設けたものである。
【０００８】
これによって、洗い場水栓からシャワー接続部に連通するシャワー配管は遮蔽板に隠蔽された状態で浴室内に設置できるため、専用のスペースや部材を使用する必要がなく、見映えが良く、しかもメンテナンスも容易に行うことができる。
【発明の効果】
【０００９】
本発明の浴室装置は、余分なスぺースや部材を使用することなく、浴室内にシャワー配管を設置することが可能となり、快適で使い勝手の良い浴室空間を提供することができる。
【発明を実施するための最良の形態】
【００１０】
第１の発明は洗い場水栓の近傍の壁面に照明手段を設置し、照明手段の少なくとも前面の一部を遮蔽する遮蔽板を設け、遮蔽板の裏面と壁面との間にシャワー配管を設置し、遮蔽板にシャワー接続部を設けることにより、洗い場水栓からシャワー接続部に連通するシャワー配管は遮蔽板に隠蔽されたスペースに照明手段と近接して設置できるため、シャワー配管専用のスペースや部材を使用する必要がなく、見映えが良く、しかもメンテナンスも容易に行うことができる。
【００１１】
第２の発明は、特に、第１の発明の遮蔽板の表面にシャワーホルダーを設置することにより、洗い場水栓とシャワー接続部とシャワーホルダーを近接した位置に設置することができるため、より使い勝手を向上することができる。
【００１２】
第３の発明は、特に、第１または第２の発明の照明手段の前面および両側面の少なくとも遮蔽板で覆われていない箇所に半透明のセードを設置することにより、照明手段の光は全て半透明のセードを介して照射されるため、照明全体が柔らかい雰囲気になるとともに、照明手段に直接触れることがなく、浴室全体の雰囲気がより快適になるとともに、安全性を高めることができる。
【００１３】
（実施の形態１）
図１は本発明の第１の実施の形態における浴室装置を示す立面図であり、図２は浴室装置の要部を上から見た断面図を示すものである。
【００１４】
図に示すように、浴室１０のカウンター１１の前面に設置した洗い場水栓１２の近傍に対応する位置の壁面１３に、防水性能を備えた蛍光灯タイプの照明手段１４を縦方向に設置し、照明手段１４の上下および中間部の必要個所の壁面には、遮蔽板１５を壁面１３から一定の距離を開けて設置するためのステンレス製の固定具１６を設置し、固定具１６の前面には表面に化粧処理を施し、裏面は反射効率を高める白色や金属色に処理をした金属製の遮蔽板１５を設置してある。
【００１５】
遮蔽板１５の上部には遮蔽板１５を貫通してシャワー接続部１７を設置し、シャワー接続部１７の表面側にはシャワーホース１８を介してシャワヘッド１９を接続してあり、シャワー接続部１７の裏面側にはシャワー配管２０が接続してあり、シャワー配管２０は遮蔽板１５と壁面１３との間のスぺースを通し、カウンター１１を貫通して洗い場水栓１２に接続してある。
【００１６】
また、遮蔽板１５の表面には設置高さが自由に変えられるシャワーホルダー２１が設置してあり、シャワーヘッド１９を着脱自在に保持している。
【００１７】
照明手段１４の洗い場側に開放された前面と側面は半透明の樹脂製の洗い場側セード２２で遮蔽板１５と壁面１３の間をカバーし、浴槽側の側面も同様に半透明の樹脂製の浴槽側セード２３で遮蔽板１５と壁面１３の間をカバーしている。
【００１８】
以上のように構成された浴室装置について、以下その動作、作用を説明する。
【００１９】
まず、照明手段１４から発光した光は浴室空間に向かって放射され、一部は遮蔽板１５の裏面で反射し、浴室の壁パネル１３の表面を照射することにより、間接光として浴室内を間接照明し、それ以外の光は直接光として浴室内を直接照明する。
【００２０】
洗い場側は照明手段１４の前面からの直接光と側面と壁パネル１３からの間接光で、身体を洗う作業に必要な十分の明るさで照明され、浴槽側は照明手段１４の側面と壁パネル１３からの間接光のみで柔らかい雰囲気に間接照明されることにより、洗い場側と浴槽側とは異なる明るさ、雰囲気で照明される。
【００２１】
洗い場水栓１２を操作することにより洗い場水栓１２より適度な温度に混合された湯がシャワー配管２０に供給され、シャワー接続部１７、シャワーホース１８を介してシャワヘッド１９より吐出し入浴者の身体を洗うことができる。
【００２２】
シャワーヘッド１９を保持するシャワーホルダー２１はその設置高さを自由に変えられる構成となっており、入浴者の身長や使い方によってシャワーヘッド１９の高さを自由に変えることができる。
【００２３】
以上のように、本実施の形態においては、洗い場水栓近傍の壁面に照明手段を設置し、照明手段の少なくとも前面の一部を遮蔽する遮蔽板を設け、遮蔽板の裏面と壁面との間にシャワー用配管を設置し、遮蔽板の表面に設置高さを自由に変えられるシャワーホルダーを設置することにより、照明手段もシャワーも最適な設置場所である洗い場水栓近傍の壁面に設置することができるため、照明もシャワーも使い勝手が良く、快適な浴室空間を提供することができる。
【００２４】
また、シャワー配管を浴室内から見えない遮蔽板と壁面との間の浴室内に設置することにより、施工やメンテナンスを容易に行うことができ、しかも浴室内に設置することによりシャワー配管内の凍結を防止することができる。
【産業上の利用可能性】
【００２５】
以上のように、本発明にかかる浴室装置は、機能、目的の異なる照明とシャワーを同一の場所に設置することが可能となるので、浴室以外のシャワーブースや洗面台等の用途にも適用できる。
【図面の簡単な説明】
【００２６】
【図１】本発明の実施の形態１における浴室装置の立面図
【図２】本発明の実施の形態１における浴室装置の要部断面図
【図３】従来の浴室装置の立面図
【図４】従来の浴室装置の要部断面図
【符号の説明】
【００２７】
１２  洗い場水栓
１３  壁面
１４  照明手段
１５  遮蔽板  
１７  シャワー接続部
２０  シャワー配管
２１  シャワーホルダー
２２  洗い場側セード（セード）
２３  浴槽側セード（セード）
【図１】
2005287995.tif 000003
【図２】
2005287995.tif 000004
【図３】
2005287995.tif 000005
【図４】
2005287995.tif 000006